(57)【要約】【課題】競馬場、競輪場、競艇場もしくはオートレース場及び、該敷地内又は近接する場所に併設されたパチンコ・パチスロ遊技場、大型ショッピング・センター、スーパー銭湯などを含む複合レジャー施設において、競馬・競輪・競艇・オートレースの投票券の購入・払戻と、併設された前記施設の入場券と、前記施設内での料金の支払とを行うための通信回線を用いた共通プリペイドカードシステムを提供する。【解決手段】プリペイドカードに、従来のバーコードより多くの情報を持つ２次元バーコードを使い、カードに記録できる番号の桁数を大きくして、ユニークな数字を割当てることで、個々のカードを識別可能とした。同一のカードで競馬場、競輪場、競艇場もしくはオートレース場の投票券の購入・払戻、および施設内での料金支払を可能とする。【選択図】図１
2005322072.tif 000002
【特許請求の範囲】
【請求項１】
競馬場、競輪場、競艇場もしくはオートレース場及び、該敷地内又は近接する場所に併設されたパチンコ・パチスロ遊技場、大型ショッピング・センター、スーパー銭湯などを含む複合レジャー施設において、
競馬・競輪・競艇・オートレースの投票券の購入・払戻と、併設された前記施設の入場券と、前記施設内での料金の支払とを行うための通信回線を用いた共通プリペイドカードシステムであって、
利用者の要求に応じて、現金を収納し、プリペイドカード管理サーバから指定された番号の情報を２次元バーコードにより記録したプリペイドカードを発行する発行端末と、
前記プリペイドカードを取り込み、記録された２次元バーコードの画像データを読み込み、画像データに記録されている番号を復号し、記録された情報を通信回線に接続されたプリペイドカード管理サーバに送り、該プリペイドカード管理サーバから指示された残金額を払い出し、取り込んだプリペイドカードを物理的に破壊する回収端末と、
利用者が施設に入場・退場するゲートを通過する際にプリペイドカードの画像データを読み込みその画像データを通信回線に接続された入場管理サーバに送り、前記プリペイドカードが有効の場合には、ゲートに対してゲートを開ける信号を出す入退場端末と、
前記入場管理サーバの指示情報に基づき、施設の混雑状況を表示する施設利用表示端末と、
施設内での料金支払の際に前記プリペイドカードに記録された２次元バーコードを読み込みその画像データと料金の金額を前記入場管理サーバに送る支払端末とを備え、
前記プリペイドカード管理サーバは、前記発行端末からのプリペイドカードの発行要求に対しユニークでそれぞれに異なる情報を生成して前記発行端末に送り、前記プリペイドカードの回収端末から送られてくる情報により当該プリペイドカードの番号を廃棄状態にし、前記入場管理サーバからのカードの状態問い合わせに対してプリペイドカードの有効・無効の状態、残りの金額を回答し、前記入場管理サーバからのプリペイド金額の更新要求に対して、当該番号を有するプリペイドカードの残金額を更新する処理を実行し、
前記入場管理サーバは、前記入退場端末から送られてきた２次元バーコードの画像データとして記録されているプリペイドカードの情報を読み出し、該プリペイドカードの番号をプリペイドカード管理サーバに状態問い合わせを行い、有効なカードであることと残金額とを受信してその内容を記憶し、残金額の範囲内でゲート通過が可能かを判断し、判断結果を前記入退場端末に送るとともに、各施設のゲートの通過数を記録し、
前記支払端末から送られてきた２次元バーコードの画像データとして記録されている前記プリペイドカードの情報と料金の金額とを読み出し、該プリペイドカードの番号と料金の金額とを前記プリペイドカード管理サーバに送り、該プリペイドカード管理サーバから残金額から料金の金額を減額した現在の残金額のデータを受け取り、そのデータを前記支払端末に送り、
前記各施設のゲートの通過数から、現在の各施設の入場人員を計算して、集計結果を前記施設利用状況表示端末に送ることを特徴とする、複合レジャー施設におけるプリペイドカード購入払戻システム。
【請求項２】
通信回線に接続された、投票管理サーバと、競馬場、競輪場、競艇場もしくはオートレース場における投票を行うための投票端末と当選結果に基づく払戻を受けるための払戻端末をさらに含み、
前記投票端末は、利用者のキーボード操作により指定された投票券の番号と、前記プリペイドカードに記録された２次元バーコードの画像データとを取り込み、取り込んだ画像データとキーボードからの情報とを前記投票管理サーバに送り、前記投票管理サーバから指定された番号の情報を２次元バーコードによる画像データとして記録した投票券を発行する手段を有し、
前記払戻端末は、利用者の操作により前記投票券に記録された２次元バーコードの画像データと利用者のプリペイドカードに記録された２次元バーコードの画像データとを取り込み、それぞれの画像データを前記投票管理サーバに送る手段を有し、
前記投票管理サーバは、前記投票端末から送られてきた２次元バーコードの画像データとして記録されているプリペイドカードの情報を読み出し、該プリペイドカードの番号を前記プリペイドカード管理サーバに状態問い合わせを行い、有効なカードであることと残金額とを受信してその内容を記憶し、残金額の範囲内で前記投票端末からの投票を受け付て、投票の情報を競馬場、競輪場、競艇場またはオートレース場の管理システムに送り、１投票毎にユニークでそれぞれに異なる情報を付加した投票内容を含む番号を前記投票管理サーバの記憶装置に記憶させ、その番号に対応する２次元バーコードの画像データを生成し、その画像データを投票端末に送る手段と、
競馬場、競輪場、競艇場またはオートレース場の管理システムに通信回線を介して接続し、レース終了後に当選に該当する投票券の種類とその払い戻し金額とを取得してその情報を記憶し、前記払戻端末からの要求に応じて、記憶した情報から該当する金額の払い戻し処理を実行し、前記プリペイドカード管理サーバにプリペイドカードの番号と払い戻し金額を加算した金額の更新要求を送る手段とをさらに有し、
前記プリペイドカード管理サーバは、前記投票管理サーバからのプリペイドカードの状態問い合わせに対して該プリペイドカードの有効・無効の状態、残りの金額を回答し、前記投票管理サーバからのプリペイド金額の更新要求に対して、当該番号を有するプリペイドカードの残金額を更新する処理を実行する手段をさらに有することを特徴とする、請求項１に記載の複合レジャー施設におけるプリペイドカード購入払戻システム。
【請求項３】
前記、競馬場、競輪場、競艇場もしくはオートレース場に併設される施設が、パチンコ・パチスロ遊技場、大型ショッピング・センター、スーパー銭湯、フィットネス・クラブ、映画館、カラオケ、冠婚葬祭場、ゲームセンター、宝くじ売り場、ＴＯＴＯ売り場、ゴルフ練習場、カルチャー・センター、テニスコート、ゴーカート・サーッキット、ボウリング場、まんが喫茶・インターネットカェ、釣り堀、オートキャンプ場、理容・美容院、ネールアート、アロマ・タラソセラピー、テーマ・パーク、遊園地、劇場・演芸場、動物・植物園、クリニック、介護施設、マッサージ、各種飲食店、ペット・ガーデニングショップ、古本・レンタルビデオ・センターの内いずれか１つまたは複数であることを特徴とする、請求項１又は２に記載の複合レジャー施設におけるプリペイドカード購入払戻システム。
【請求項４】
前記プリペイドカードの番号は、発行元、発行年月日に加え、擬似ランダム符号による符号化を用いたユニークな番号を生成し付加することを特徴とする請求項１乃至２に記載の複合レジャー施設におけるプリペイドカード購入払戻システム。
【請求項５】
前記投票券の番号は、投票の内容に加え、擬似ランダム符号による符号化を用いたユニークな番号を生成し付加することを特徴とする請求項２に記載の複合レジャー施設におけるプリペイドカード購入払戻システム。
【請求項６】
前記回収端末は、利用者の要求に応じて、現金を収納し、前記プリペイドカードを取り込み、記録された２次元バーコードの画像データを読み込み、画像データに記録されている番号を復号し、利用者が入金した金額と記録された情報とを通信回線に接続されたプリペイドカード管理サーバに送り、前記プリペイド管理サーバは、残金額を前記収納した金額を加算した金額に更新することを特徴とする請求項１に記載の複合レジャー施設におけるプリペイドカード購入払戻システム。
【発明の詳細な説明】
【技術分野】
【０００１】
競馬場、競輪場、競艇場もしくはオートレース場及び、該敷地内又は近接する場所に併設されたパチンコ・パチスロ遊技場、大型ショッピング・センター、スーパー銭湯などを含む複合レジャー施設において、２次元バーコードを利用したプリペイドカードを用いて、競馬・競輪・競艇・オートレースにおけるレースごとの、投票券の購入に現金の授受を無くし、また当選の際の払戻もプリペイドカードに加算することで、現金の授受をなくし、併設された前記施設の入場券と、前記施設内での料金の支払とを行う際に共通に使うことができるプリペイドカード購入払戻システム。
【背景技術】
【０００２】
プリペイドカードは利用者が予め料金を支払い購入し、各施設で共通に使うことができる利便性があるが、カードの偽造などによる被害が起きる可能性があった。
従来のバーコードよりも多くの情報を記録できて、認識率が高いＱＲコード等の２次元バーコードによるプリペイドカードによる決済方法が特許文献１に開示されている。
特許文献１ではカードキー情報とカード残高情報との組合せからなるデータをもち、残高の更新毎に２次元バーコードを記録する方法となっている。
【０００３】
【特許文献１】特開２００４−２１３９８号公報
【発明の開示】
【発明が解決しようとする課題】
【０００４】
本発明は２次元バーコードにより従来のプリペイドカードより多くの情報を持つプリペイドカードを作成して、カードに記録された番号の桁数を大きくし、擬似ランダムの系列による番号を付加することにより、セキュリティを向上させることを目的とする。
プリペイドカードの残高は、サーバに記録されているので、残金額の更新時にカードの内容を書き換える必要が無い。
また競馬場、競輪場、競艇場もしくはオートレース場、及び併設された施設に入場・退場する際にゲートでプリペイドカードの番号を認識することで、併設された複合レジャー施設の利用状況を把握し、施設の効率的な運用を目的とする。
【課題を解決するための手段】
【０００５】
競馬場、競輪場、競艇場もしくはオートレース場及び、該敷地内又は近接する場所に併設されたパチンコ・パチスロ遊技場、大型ショッピング・センター、スーパー銭湯などを含む複合レジャー施設において、競馬・競輪・競艇・オートレースの投票券の購入・払戻と、併設された前記施設の入場券と、前記施設内での料金の支払とを行うための通信回線を用いた共通プリペイドカードシステムであって、利用者の要求に応じて、現金を収納し、プリペイドカード管理サーバから指定された番号の情報を２次元バーコードにより記録したプリペイドカードを発行する発行端末と、前記プリペイドカードを取り込み、記録された２次元バーコードの画像データを読み込み、画像データに記録されている番号を復号し、記録された情報を通信回線に接続されたプリペイドカード管理サーバに送り、該プリペイドカード管理サーバから指示された残金額を払い出し、取り込んだプリペイドカードを物理的に破壊する回収端末と、利用者が施設に入場・退場するゲートを通過する際にプリペイドカードの画像データを読み込みその画像データを通信回線に接続された入場管理サーバに送り、前記プリペイドカードが有効の場合には、ゲートに対してゲートを開ける信号を出す入退場端末と、前記入場管理サーバの指示情報に基づき、施設の混雑状況を表示する施設利用表示端末と、施設内での料金支払の際に前記プリペイドカードに記録された２次元バーコードを読み込みその画像データと料金の金額を前記入場管理サーバに送る支払端末とを備え、前記プリペイドカード管理サーバは、前記発行端末からのプリペイドカードの発行要求に対しユニークでそれぞれに異なる情報を生成して前記発行端末に送り、前記プリペイドカードの回収端末から送られてくる情報により当該プリペイドカードの番号を廃棄状態にし、前記入場管理サーバからのカードの状態問い合わせに対してプリペイドカードの有効・無効の状態、残りの金額を回答し、前記入場管理サーバからのプリペイド金額の更新要求に対して、当該番号を有するプリペイドカードの残金額を更新する処理を実行し、前記入場管理サーバは、前記入退場端末から送られてきた２次元バーコードの画像データとして記録されているプリペイドカードの情報を読み出し、該プリペイドカードの番号をプリペイドカード管理サーバに状態問い合わせを行い、有効なカードであることと残金額とを受信してその内容を記憶し、残金額の範囲内でゲート通過が可能かを判断し、判断結果を前記入退場端末に送るとともに、各施設のゲートの通過数を記録し、前記支払端末から送られてきた２次元バーコードの画像データとして記録されている前記プリペイドカードの情報と料金の金額とを読み出し、該プリペイドカードの番号と料金の金額とを前記プリペイドカード管理サーバに送り、該プリペイドカード管理サーバから残金額から料金の金額を減額した現在の残金額のデータを受け取り、そのデータを前記支払端末に送り、前記各施設のゲートの通過数から、現在の各施設の入場人員を計算して、集計結果を前記施設利用状況表示端末に送ることを特徴とする。
【０００６】
通信回線に接続された、投票管理サーバと、競馬場、競輪場、競艇場もしくはオートレース場における投票を行うための投票端末と当選結果に基づく払戻を受けるための払戻端末をさらに含み、前記投票端末は、利用者のキーボード操作により指定された投票券の番号と、前記プリペイドカードに記録された２次元バーコードの画像データとを取り込み、取り込んだ画像データとキーボードからの情報とを前記投票管理サーバに送り、前記投票管理サーバから指定された番号の情報を２次元バーコードによる画像データとして記録した投票券を発行する手段を有し、前記払戻端末は、利用者の操作により前記投票券に記録された２次元バーコードの画像データと利用者のプリペイドカードに記録された２次元バーコードの画像データとを取り込み、それぞれの画像データを前記投票管理サーバに送る手段を有し、前記投票管理サーバは、前記投票端末から送られてきた２次元バーコードの画像データとして記録されているプリペイドカードの情報を読み出し、該プリペイドカードの番号を前記プリペイドカード管理サーバに状態問い合わせを行い、有効なカードであることと残金額とを受信してその内容を記憶し、残金額の範囲内で前記投票端末からの投票を受け付て、投票の情報を競馬場、競輪場、競艇場またはオートレース場の管理システムに送り、１投票毎にユニークでそれぞれに異なる情報を付加した投票内容を含む番号を前記投票管理サーバの記憶装置に記憶させ、その番号に対応する２次元バーコードの画像データを生成し、その画像データを投票端末に送る手段と、競馬場、競輪場、競艇場またはオートレース場の管理システムに通信回線を介して接続し、レース終了後に当選に該当する投票券の種類とその払い戻し金額とを取得してその情報を記憶し、前記払戻端末からの要求に応じて、記憶した情報から該当する金額の払い戻し処理を実行し、前記プリペイドカード管理サーバにプリペイドカードの番号と払い戻し金額を加算した金額の更新要求を送る手段とをさらに有し、前記プリペイドカード管理サーバは、前記投票管理サーバからのプリペイドカードの状態問い合わせに対して該プリペイドカードの有効・無効の状態、残りの金額を回答し、前記投票管理サーバからのプリペイド金額の更新要求に対して、当該番号を有するプリペイドカードの残金額を更新する処理を実行する手段をさらに有することを特徴とする。
【０００７】
前記、競馬場、競輪場、競艇場もしくはオートレース場に併設される施設が、パチンコ・パチスロ遊技場、大型ショッピング・センター、スーパー銭湯、フィットネス・クラブ、映画館、カラオケ、冠婚葬祭場、ゲームセンター、宝くじ売り場、ＴＯＴＯ売り場、ゴルフ練習場、カルチャー・センター、テニスコート、ゴーカート・サーッキット、ボウリング場、まんが喫茶・インターネットカェ、釣り堀、オートキャンプ場、理容・美容院、ネールアート、アロマ・タラソセラピー、テーマ・パーク、遊園地、劇場・演芸場、動物・植物園、クリニック、介護施設、マッサージ、各種飲食店、ペット・ガーデニングショップ、古本・レンタルビデオ・センターの内いずれか１つまたは複数であることを特徴とする。
【０００８】
前記プリペイドカードの番号は、発行元、発行年月日に加え、擬似ランダム符号による符号化を用いたユニークな番号を生成し付加することを特徴とする。
【０００９】
前記投票券の番号は、投票の内容に加え、擬似ランダム符号による符号化を用いたユニークな番号を生成し付加することを特徴とする。
【００１０】
前記回収端末は、利用者の要求に応じて、現金を収納し、前記プリペイドカードを取り込み、記録された２次元バーコードの画像データを読み込み、画像データに記録されている番号を復号し、利用者が入金した金額と記録された情報とを通信回線に接続されたプリペイドカード管理サーバに送り、前記プリペイド管理サーバは、残金額を前記収納した金額を加算した金額に更新することを特徴とする。
【発明の効果】
【００１１】
プリペイドカードに記録された番号は擬似ランダム符号による符号化を行い、サーバでこの番号を復号化して既に発行されているか、廃棄された番号かを判断することで、偽造による不正行為を防ぐことができる。
【００１２】
また競馬場、競輪場、競艇場もしくはオートレース場に併設された施設に入場・退場する際にゲートでプリペイドカードを認識することで、併設された施設の利用状況を把握でき、利用状況を集計することにより、人気のある施設、人気のない施設を把握することができ、施設の増設または拡張、閉鎖の経営的な指標として利用ができる。
【００１３】
利用者としては、プリペイドカードなので、予め個人情報を登録する必要もないので個人情報が漏れる不安が無く、安心して競馬場、競輪場、競艇場もしくはオートレース場及び、該敷地内又は近接する場所に併設されたパチンコ・パチスロ遊技場、大型ショッピング・センター、スーパー銭湯などを含む複合レジャー施設を使うことができる。
【００１４】
また発行したプリペイドカードの精算時に不要となったプリペイドカードを確実に回収して廃棄することで資源の再利用を計るとともに、廃棄したプリペイドカードに記録された番号を再度使えるようにすることで、制限された番号の桁数の範囲でも番号の不足となることを避けることができる。
【発明を実施するための最良の形態】
【００１５】
図１に本発明の構成図を示す。
実施例は競馬場および競馬場に併設された施設における適用について説明する。
プリペイドカード管理サーバ１０１は記憶装置Ａ１０２を持ち、発行端末１０８、回収端末１０９、投票管理サーバ１０３、入場管理サーバ１０５と各々通信回線を介して接続されている。
投票管理サーバ１０３は記憶装置Ｂ１０４を持ち、投票端末１１０、払戻端末１１１、プリペイドカード管理サーバ１０１、競馬場の管理システム１０７と各々通信回線を介して接続されている。
入場管理サーバ１０５は記憶装置Ｃ１０６を持ち、入退場端末１１２、施設利用状況表示端末１１３、支払端末１１４、プリペイドカード管理サーバ１０１と各々通信回線を介して接続されている。
【００１６】
図２にプリペイドカードの発行のときのフロー図を示す。
プリペイド管理サーバは、発行端末１０８からの発行要求に対して、発行端末１０８の番号と擬似ランダム符号によるランダムな番号を組合せたユニークな番号を取得し、その番号の状態を発行済みとして、番号、状態、金額を記憶装置Ａ１０２で記憶する。
発行端末１０８は、前記取得したユニークな番号を２次元バーコードによりカードに印刷してカードを作成する。
このカードは、競馬場、競輪場、競艇場、オートレース場、および場外券売場、または、コンビニエンスストアなどで対面販売ができる店舗にて販売することで、未成年者のギャンブル参加を防止する。
【００１７】
図３に投票端末１１０からプリペイドカードを使い投票するときのフロー図を示す。
投票端末１１０は、キーボードまたはタッチパネルにより表示器に表示された掛けの組合せを指定し、投票端末１１０に備えられている撮影装置により、プリペイドカードに記録されている２次元バーコードを読み取り、投票内容と２次元バーコードの画像データを投票管理サーバ１０３に送る。
投票管理サーバ１０３では、２次元バーコードの内容を識別して、プリペイドカードの番号を読み取り、この番号をプリペイドカード管理サーバ１０１に送る。
【００１８】
プリペイドカード管理サーバ１０１は、カードの認証結果と金額の残高を投票管理サーバ１０３に返送する。カード番号が認証されていてかつ残金と掛け金を比較して掛け金が金額の残高以内であれば、投票管理サーバ１０３では、送られてきた投票情報を競馬場の管理システム１０７に送る。
競馬場の管理システム１０７から投票が受け付けられた結果の返送を受けて、投票管理サーバ１０３は、勝馬投票券の番号発行し、かつ投票管理サーバ１０３で生成したユニークコードを前記勝馬投票券の番号に付加した情報を２次元バーコードに変換した情報と勝馬投票券の番号とを投票端末１１０に送る。
投票端末１１０では、文字による勝馬投票券の番号と前記２次元バーコードとの２つの情報を記録した投票券を発行する。投票券には文字による記録に併記された２次元バーコードが記録され、このバーコードの中にユニークな番号が埋め込まれていることにより、投票券の偽造を防止でき、二重の支払も防止できる。
【００１９】
図４に払戻のときのフロー図を示す。
投票管理サーバ１０３は、レース終了後払戻金額が確定した後に当選の番号と払戻金額のデータを競馬場の管理システム１０７から取り込み、このデータを記憶装置Ｂ１０４に格納する。
【００２０】
払戻端末１１１では、当選した勝馬投票券を端末内に取り込み、記録された２次元バーコードをカメラで撮影し、撮影した画像データを投票管理サーバ１０３に送る。投票管理サーバ１０３では、２次元バーコードの情報から勝馬投票券の番号を読み出して、記憶装置Ｂ１０４内部に格納されたデータを基に、当選の判定、払戻金額の確定を行った後、プリペイドカードの番号と払戻金額のデータをプリペイドカード管理サーバ１０１に送る。
【００２１】
プリペイドカード管理サーバ１０１ではカード番号の有効性を判断し、有効の場合には、残高の金額に払戻金額を加算して記憶装置Ａ１０２に記憶し、認証結果と更新された残高の金額のデータを投票管理サーバ１０３に送る。
【００２２】
投票管理サーバ１０３は、前記データを受け取った後に、払戻の許可と金額を払戻端末１１１に送る。
払戻端末１１１は操作者に対して残金額を表示装置に表示して、操作の終了をしらせる。
取り込んだ投票券は機械の内部に取り込み返却はしない。
投票管理サーバ１０３では、該当する番号の投票券がすでに払戻済みとして管理データの更新を行う。
当選管理サーバから勝馬投票券の番号が無効との結果が送られてきた場合には、払戻は停止して、機械に取り込んだ投票券を返却する。
【００２３】
図５にプリペイドカードの回収のフロー図を示す。
利用者がプリペイドカードを回収端末１０９に入れて、精算の指示を行うと、回収端末１０９はプリペイドカードを端末内に取り込み、記録された２次元バーコードの画像データを読み込む。回収端末１０９で画像データに記録されている番号を復号し、記録されている情報と回収の要求をプリペイドカード管理サーバ１０１に送る。
プリペイドカード管理サーバ１０１では、受け取ったプリペイドカードの番号が有効か無効かを判断して、有効の場合にはその番号の残金額を読み出し金額の情報とプリペイドカードの破壊支持を回収端末１０９に送る。
【００２４】
回収端末１０９では、金額情報の現金を利用者に払い戻す。
払戻が済んだ後、回収端末１０９内でプリペイドカードを破壊する。
破壊の方法は、記録されている２次元バーコードがおよそ２分割になるような切断方法または、２次元バーコードが記録された部分にパンチにより穴をあける方法が望ましい。
破壊終了後に回収端末１０９は、プリペイドカード管理サーバ１０１にカードの番号と破壊終了の情報とを送る。プリペイドカード管理サーバ１０１では、該当する番号の状態を回収済として、残金額を´０´に書き換えた情報を記憶装置Ａ１０２に記録する。
【００２５】
さらに回収端末１０９は利用者の要求に応じて、現金を収納し、利用者が既に持つプリペイドカードを装置内に端末内に取り込み、記録された２次元バーコードの画像データを読み込む。収納した現金の金額データと回収端末１０９で画像データに記録されている番号を復号し、記録されている情報と金額追加の要求をプリペイドカード管理サーバ１０１に送る。
【００２６】
プリペイドカード管理サーバ１０１では、受け取ったプリペイドカードの番号が有効か無効かを判断して、有効の場合にはその番号の残金額を読み出し回収端末１０９から送られてきた金額データを加算して残金額の更新を行う。
【００２７】
入退場端末１１２は施設の入場・退場のゲートに設置されていて、２次元バーコードを読み取り、画像データを入場管理サーバ１０５に送る。
入場管理サーバ１０５では送られてきた画像データから２次元バーコードに記載されている番号を復元して、その番号をプリペイドカード管理サーバ１０１に送る。
プリペイドカード管理サーバ１０１はカードの番号の有効・無効を判断して有効の場合には、カードの有効状態と残金額との情報を入場管理サーバ１０５に送る。
入場管理サーバ１０５では、送られてきたカードの有効性と残金額から、入場または退場に料金がかかる場合には、残金額が料金より大きい場合にゲートを開ける情報を入場・退場のゲートに送り、ゲートを開けて利用者を通過させる。
料金がかかる場合に入退場端末１１２は、カード番号と料金と支払の要求とを入場管理サーバ１０５に送る。
入場管理サーバ１０５は前記情報をプリペイドカード管理サーバ１０１に送る。
プリペイドカード管理サーバ１０１では、送られてきた、カード番号と料金情報と支払要求情報から、該当するカード番号の残金額を現在の金額から料金の額を減額した金額に更新する。
【００２８】
支払端末１１４は食事の支払など施設内での支払をプリペイドカードで行うための端末である。
レジスターと組み合わされた構造が望ましい。
支払端末１１４は２次元バーコードを読み込み画像データを入場管理サーバ１０５に送る。
入場管理サーバ１０５は画像データからカード番号を読み出しそのデータをプリペイドカード管理サーバ１０１に送る。カードの有効性と残金額の処理については入退場管理端末と同様なので説明を省力する。
【００２９】
入場管理サーバ１０５では、プリペイドカード管理サーバ１０１から送られてきたカードの有効性と残金額から、カードが有効である場合に、カード番号と残金額を支払端末１１４に送る。
支払端末１１４では、送られてきたカード番号と残金額をレジスターに送る。
レジスターでは残金額から料金を減額した結果を支払端末１１４に送る。
支払端末１１４は減額された新たな残金額を入場管理サーバ１０５に送り、入場管理サーバ１０５はプリペイドカード管理サーバ１０１に新たな残金額のデータを送り、プリペイドカード管理サーバ１０１は残金額の更新を行う。
レジスターでの減額した結果がマイナスになる場合には、不足分を現金で支払い、レジスターからの残金額は０のデータを支払端末１１４に送る。
【００３０】
プリペイドカードおよび投票券に付加する擬似ランダム符号の番号は、本実施例では、Ｍ系列により発生する符合系列を使用する。
本実施例では３２ビットのＭ系列を用いる。生成される符号は
２３２−１＝４、２９４、９６７、２９５
通りの独立した３２ビット符号を生成できるので、生成された２進符号を１０進の表記方法に変換することで１０桁の数字となり、この１０桁の数字を付加した番号を２次元バーコードに記録する。
例として３２ビットの２進数‘００００、１１００、００００、０１１１、００００、１１１１、００１１、１１０１’は１０進の‘０、２０１、７８９、２４５’のように表記する。
このような番号を用いることで、複数のカード番号を入手してもそれらの番号に相関関係が小さいので、発行されている番号と未発行の番号の識別を困難にすることで、偽造を防ぐことができる。
【００３１】
競馬場、競輪場、競艇場もしくはオートレース場及び、該敷地内又は近接する場所に併設されたパチンコ・パチスロ遊技場、大型ショッピング・センター、スーパー銭湯などを含む複合レジャー施設において、利用者がこのプリペイドカードを利用することで、ゲートを通過するとき、料金支払をするとき、投票・払戻をするときにカードの番号を読み取り、記録できるので、この結果を集計することにより、各施設の入場者数の把握ができ、施設利用状況の表示ができる。
【００３２】
実施例の説明では、発行端末、回収端末、投票端末、払戻端末は独立の端末として扱っているが、これらの端末の機能を複数組合せた統合型の端末を用いてもよい。
【００３３】
またこの複合レジャー施設の利用者がどこの施設を多く利用するか、また施設内で飲食、購入のデータを得ることができ施設の運営に利用することができる。
利用者としては、個人名が特定されないので個人情報の流出の不安がない。
【産業上の利用可能性】
【００３４】
本発明は、２次元バーコードを利用して桁数の多い番号を生成し、その画像データを伝送することで、操作者は桁数の多い番号を意識することなく利用できる、セキュリティの高いプリペイドカードのシステムであり、競馬場および併設される施設内に限定されず、競輪場、競艇場もしくはオートレース場などのギャンブルにも適用ができる。
【図面の簡単な説明】
【００３５】
【図１】本発明の構成図。
【図２】プリペイドカード発行のフロー図。
【図３】プリペイドカードを使う投票操作のフロー図。
【図４】プリペイドカードを使う払戻操作のフロー図。
【図５】プリペイドカードの回収のフロー図。
【符号の説明】
【００３６】
１０１  プリペイドカード管理サーバ
１０２  記憶装置Ａ
１０３  投票管理サーバ
１０４  記憶装置Ｂ
１０５  入場管理サーバ
１０６  記憶装置Ｃ
１０７  競馬場、競輪場、競艇場またはオートレース場の管理システム
１０８  発行端末
１０９  回収端末
１１０  投票端末
１１１  払戻端末
１１２  入退場端末
１１３  施設利用状況表示端末
１１４  支払端末
【図１】
2005322072.tif 000003
【図２】
2005322072.tif 000004
【図３】
2005322072.tif 000005
【図４】
2005322072.tif 000006
【図５】
2005322072.tif 000007